【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
電子ネットワークを介して処方箋の更新要求に関する情報を提供するためのコンピュータ演算による方法であって、
ディスペンサー（dispenser）、プリスクライバー(prescriber)、クライアント(client)、及び患者から構成されるグループより選択されるデータ源から情報を取得する処理と、
更新データベース上に前記情報を記憶する処理と、
特定のプリスクライバーに関する前記情報のクエリー(query)を受信する処理と、
前記クエリーに合致する情報のために前記更新データベースをサーチする処理と、
前記情報を含むレポートを生成する処理と、
前記情報の見直しに役立たせるために前記レポートを送信する処理とを含む方法。
【請求項２】
前記レポート生成処理は、前記プリスクライバーがまだ見直ししていない更新要求に関する情報を含む“有効更新”ページ、前記プリスクライバーが既に見直しした更新要求に関する情報を含む“アーカイブ更新”ページ、前記プリスクライバーが面会予約を望む患者に関する情報を含む“面会予約”ページ、及び特定の更新要求に関する詳細な情報を含む“処方箋詳細”ページより構成されるグループから選択されるレポートを生成する処理を含むことを特徴とする請求項１に記載の方法。
【請求項３】
前記レポート生成処理は、患者名、患者の生年月日、患者の性別、プリスクライバー識別子、医薬品識別子、ディスペンサー識別子、更新要求日、更新要求認可日、更新要求の状態(status)識別子、処方医薬品の投薬量、再調剤あたりの投薬数、再調剤数、最終再調剤日、前記プリスクライバーが特定の患者と面会を望んでいるかどうかを示す面会予約識別子、及び特定の更新要求が印刷されたかどうかを示す印刷識別子より構成されるグループから選択される詳細を含むレポートを生成することを含むことを特徴とする請求項１に記載の方法。
【請求項４】
前記クエリー受信処理は、前記特定のプリスクライバーに関する複数の更新要求及び複数の患者に関係する情報のためのクエリーを受信する処理を含むことを特徴とする請求項１に記載の方法。
【請求項５】
前記レポート生成処理及び前記レポート送信処理は、引き続き人間の介在なしに処理されることを特徴とする請求項１に記載の方法。
【請求項６】
更新要求に関する新たな情報を取得する処理と、
前記新たな情報で前記更新データベースを更新する処理とを更に含むことを特徴とする請求項１に記載の方法。
【請求項７】
前記クエリー受信処理は、前記プリスクライバーが面会を望む患者に関する情報のためのクエリーを受信することを含むことを特徴とする請求項１に記載の方法。
【請求項８】
前記レポートは、現在ページ上に含まれるすべての更新要求のリストを印刷するための“リスト印刷”ボタン、選択されたすべての更新要求の処方箋詳細ページを印刷するための“選択印刷”ボタン、及び現在ページ上に含まれるすべての更新要求の処方箋詳細ページを印刷するための“すべて印刷”ボタンより構成されるグループから選択されるアクションボタンを含むことを特徴とする請求項１に記載の方法。
【請求項９】
前記レポートは、フィルターボックスに受信されたフィルターパラメータに対応する情報のみを含む更新ページを閲覧するための“更新閲覧”ボタン、フィルター化されていない情報を含むページを閲覧するための“リセット”ボタン、及び前記プリスクライバーと既に面会をした患者を含まないページを閲覧するための“更新リスト”より構成されるグループから選択されるアクションボタンを含むことを特徴とする請求項１に記載の方法。
【請求項１０】
前記フィルターパラメータは、患者名、医薬品識別子、認可日範囲、及び更新要求の状態(status)を含むことを特徴とする請求項９に記載の方法。
【請求項１１】
前記サーチ処理の後で、患者名、医薬品識別子、認可日範囲、及び更新要求の状態より構成されるグループから選択されるフィルターパラメータに対応する情報のために、前記情報をフィルタリングすることを更に含むことを特徴とする請求項１に記載の方法。
【請求項１２】
前記レポートは、有効な更新ページを閲覧するための“有効更新”リンクボタン、アーカイブ更新ページを閲覧するための“アーカイブ更新”リンクボタン、面会予約ページを閲覧するための“面会予約チクラー（tickler）”リンクボタン、及び処方箋識別子に対応する処方箋詳細ページを閲覧するための“処方箋識別子”リンクより構成されるグループから選択されるリンクボタンを含むことを特徴とする請求項１に記載の方法。
【請求項１３】
コンピュータシステムとあわせて使用するコンピュータプログラム製品であって、
当該コンピュータプログラム製品は、コンピュータ読み出し可能な記憶媒体及びそこへ組み入れられるコンピュータプログラムメカニズムを含み、
前記コンピュータプログラムメカニズムは、
ディスペンサー（dispenser）、プリスクライバー(prescriber)、クライアント(client)、及び患者より構成されるグループから選択されるデータ源からの処方箋についての更新要求に関する情報を取得する指令と、
更新データベース上に前記情報を記憶する指令と、
特定の患者に関する前記情報のためのクエリー(query)を受信する指令と、
前記クエリーに合致する情報のために前記更新データベースをサーチする指令と、
前記情報を含むレポートを生成する指令と、
前記情報を見直しに役立たせるために前記レポートを送信する指令とを含むことを特徴とするコンピュータプログラム製品。
【請求項１４】
前記レポートを生成する指令は、前記プリスクライバーがまだ見直ししていない更新要求に関する情報を含む“有効更新”ページ、前記プリスクライバーが既に見直しした更新要求に関する情報を含む“アーカイブ更新”ページ、前記プリスクライバーが面会予約を望む患者に関する情報を含む“面会予約”ページ、及び特定の更新要求に関する詳細な情報を含む“処方箋詳細”ページより構成されるグループから選択されるレポートを生成する指令を含むことを特徴とする請求項１３に記載のコンピュータプログラム製品。
【請求項１５】
前記レポートを生成する指令は、患者名、患者の生年月日、患者の性別、プリスクライバー識別子、医薬品識別子、ディスペンサー識別子、更新要求日、更新要求認可日、更新要求の状態(status)識別子、処方医薬品の投薬量、再調剤あたりの投薬数、再調剤数、最終再調剤日、前記プリスクライバーが特定の患者と面会したがっているかどうかを示す面会予約識別子、及び特定の更新要求が印刷されたかどうかを示す印刷識別子より構成されるグループから選択される詳細を含むレポートを生成する指令を含むことを特徴とする請求項１３に記載のコンピュータプログラム製品。
【請求項１６】
前記クエリーを受信する指令は、前記特定のプリスクライバーに関する複数の更新要求及び複数の患者に関係する情報のためのクエリーを受信する指令を含むことを特徴とする請求項１３に記載のコンピュータプログラム製品。
【請求項１７】
更新要求に関する新たな情報を取得する指令と、
前記新たな情報で前記更新データベースを更新する指令とを更に含むことを特徴とする請求項１３に記載のコンピュータプログラム製品。
【請求項１８】
前記クエリーを受信する指令は、前記プリスクライバーが面会を望む患者に関する情報のためのクエリーを受信する指令を含むことを特徴とする請求項１３に記載のコンピュータプログラム製品。
【請求項１９】
患者名、医薬品識別子、認可日範囲、及び前記更新要求の状態より構成されるグループから選択されるフィルターパラメータに合致する情報のために、前記情報をフィルタリングする指令を更に含むことを特徴とする請求項１３に記載のコンピュータプログラム製品。
【請求項２０】
前記レポートは、有効な更新ページを閲覧するための“有効更新”リンクボタン、アーカイブ更新ページを閲覧するための“アーカイブ更新”リンクボタン、面会予約ページを閲覧するための“面会予約チクラー（tickler）”リンクボタン、及び処方箋識別子に対応する処方箋詳細ページを閲覧するための“処方箋識別子”リンクより構成されるグループから選択されるリンクボタンを含むことを特徴とする請求項１３に記載のコンピュータプログラム製品。